(57)【要約】【課題】シール部材を設けることによって、フェライトが収容される内部収容空間に水が浸入することを抑制し、雄端子に水が付着することを抑制する。【解決手段】コネクタ１０は、インナーハウジング１６と、インナーハウジング１６が内部に嵌合する後方フード部３０を有するアウターハウジング１４と、バスバー１８が挿通されるフェライト側挿通孔４８を有し、嵌合状態にあるインナーハウジング１６と後方フード部３０とによって内部に形成される内部収容空間Ｓに収容されるフェライト１２と、後方フード部３０とインナーハウジング１６との間に狭持され、内部収容空間Ｓに水が浸入することを抑制するシール部材２０と、を備える。【選択図】図３
2020113478.tif 000002
【特許請求の範囲】
【請求項１】
インナーハウジングと、
前記インナーハウジングが内部に嵌合するフード部を有するアウターハウジングと、
雄端子が挿通される挿通孔を有し、嵌合状態にある前記インナーハウジングと前記フード部とによって内部に形成される内部収容空間に収容されるフェライトと、
前記フード部と前記インナーハウジングとの間に狭持され、前記内部収容空間に水が浸入することを抑制するシール部材と、を備えるコネクタ。
【請求項２】
前記シール部材は、
複数の前記フェライトが内部に収容される複数のフェライト収容部と、
前記フード部の内周面に全周に亘って接触する第１シール部と、
前記複数のフェライト収容部の開口を一括して囲う枠状をなし、前記インナーハウジングの嵌合面に全周に亘って接触する第２シール部と、を備える請求項１に記載のコネクタ。
【請求項３】
前記インナーハウジングは、
複数の前記フェライトが内部に収容される複数のフェライト収容部と、
前記インナーハウジングの外周に設けられ、前記シール部材が嵌着されるシール部材嵌着部と、を備え、
前記シール部材は、前記フード部の内周面と前記シール部材嵌着部の底面とによって全周に亘って狭持される請求項１に記載のコネクタ。
【発明の詳細な説明】
【技術分野】
【０００１】
本明細書によって開示される技術は、コネクタに関する。
【背景技術】
【０００２】
従来のコネクタの一例として、下記特許文献１に記載のコネクタが知られている。このコネクタは、合成樹脂製の第１のハウジング及び合成樹脂製の第２のハウジングで構成されたハウジングと、２つの導電部材と、これら導電部材に設けられた複数の端子からノイズを除去する複数のフェライトと、を備えている。
【０００３】
２つの導電部材及び複数のフェライトは、第２のハウジングに保持されており、第１のハウジングには、第２のハウジングが収容される収容部が設けられている。
【先行技術文献】
【特許文献】
【０００４】
【特許文献１】特開２０１２−６９２７０号公報
【発明の概要】
【発明が解決しようとする課題】
【０００５】
上記のコネクタは非防水コネクタであって、被水環境下での使用が想定されていない。このため、上記のコネクタを被水環境下で使用する場合には、第１ハウジングと第２ハウジングとの間の隙間から水が浸入することを防ぐ必要がある。
【課題を解決するための手段】
【０００６】
本明細書で開示されるコネクタは、インナーハウジングと、前記インナーハウジングが内部に嵌合するフード部を有するアウターハウジングと、雄端子が挿通される挿通孔を有し、嵌合状態にある前記インナーハウジングと前記フード部とによって内部に形成される内部収容空間に収容されるフェライトと、前記フード部と前記インナーハウジングとの間に狭持され、前記内部収容空間に水が侵入することを抑制するシール部材と、を備える。
【０００７】
シール部材を設けることによって、内部収容空間に水が浸入することを抑制でき、雄端子に水が付着することを抑制できる。
【０００８】
また、前記シール部材は、複数の前記フェライトが内部に収容される複数のフェライト収容部と、前記フード部の内周面に全周に亘って接触する第１シール部と、前記複数のフェライト収容部の開口を一括して囲う枠状をなし、前記インナーハウジングの嵌合面に全周に亘って接触する第２シール部と、を備える構成としても良い。
【０００９】
第１シール部によってフード部の開口からフード部の嵌合面へ向かう経路の止水ができ、第２シール部によってフード部の開口からインナーハウジングの嵌合面へ向かう経路の止水ができる。したがって、１つのシール部材によって２つの経路の止水を実現できる。
【００１０】
また、前記インナーハウジングは、複数の前記フェライトが内部に収容される複数のフェライト収容部と、前記インナーハウジングの外周に設けられ、前記シール部材が嵌着されるシール部材嵌着部と、を備え、前記シール部材は、前記フード部の内周面と前記シール部材嵌着部の底面とによって全周に亘って狭持される構成としても良い。
【００１１】
シール部材嵌着部の底面にシール部材を嵌着することにより、フード部の開口からフード部の嵌合面へ向かう経路の止水と、フード部の開口からインナーハウジングの嵌合面へ向かう経路の止水と、を同時に実現できる。
【発明の効果】
【００１２】
本明細書に開示されるコネクタによれば、シール部材を設けることによって、フェライトが収容される内部収容空間に水が浸入することを抑制でき、雄端子に水が付着することを抑制できる。
【図面の簡単な説明】
【００１３】
【図１】実施形態１におけるコネクタの斜視図
【図２】コネクタの背面図
【図３】図２におけるＡ−Ａ断面図
【図４】図２におけるＢ−Ｂ断面図
【図５】コネクタの分解斜視図
【図６】アウターハウジングの斜視図
【図７】フェライトが収容された状態におけるシール部材の後方斜視図
【図８】フェライトが収容された状態におけるシール部材の前方斜視図
【図９】バスバーが組付けられた状態におけるインナーハウジングの斜視図
【図１０】バスバーを分離した状態におけるインナーハウジングの斜視図
【図１１】実施形態２におけるコネクタの斜視図
【図１２】コネクタの背面図
【図１３】図１２におけるＣ−Ｃ断面図
【図１４】コネクタの分解斜視図
【図１５】アウターハウジングからインナーハウジングを分離した状態の図
【図１６】インナーハウジングの斜視図
【図１７】シール部材を取り外した状態におけるインナーハウジングの斜視図
【発明を実施するための形態】
【００１４】
＜実施形態１＞
図１から図１０を参照して実施形態１のコネクタ１０を説明する。本実施形態のコネクタ１０は防水ジョイントコネクタであって、図５に示すように、ノイズ除去用の複数（本実施形態では６つ）のフェライト１２と、樹脂により構成されたアウターハウジング１４及びインナーハウジング１６と、軟質の合成ゴムにより構成され、左右方向に長い方形枠状をなすシール部材２０と、導電性金属により構成された２つのバスバー（雄端子）１８と、を備えて構成されている。以降の説明では、図５における図示下側のバスバー１８から図示上側のバスバー１８に向かう方向を上下方向の上方とし、図５における後方フード部（フード部）３０から前方フード部２８に向かう方向を前後方向の前方とし、図５における図示手前側のフェライト１２から図示奥側のフェライト１２に向かう方向を左右方向の左方として説明をする。
【００１５】
バスバー１８は、図５に示すように、前後方向に長い棒状をなし、左右方向に所定の間隔を開けて配された複数の接続部２２と、複数の接続部２２の後部を連結し、複数の接続部２２間を互いに電気的に接続する連結部２４と、連結部２４から後方に突出し、左右方向に所定の間隔を開けて配された複数の固定部２６と、を備えて構成されている。２つのバスバー１８は上下方向に所定の間隔を開けて配されており、２つのバスバー１８のうち、一方は信号用に用いられ、他方はグランド用に用いられる。
【００１６】
図３に示すように、アウターハウジング１４は、前方にフード状に開口し、相手側コネクタ（図示せず）が内部に嵌合可能な前方フード部２８と、後方にフード状に開口し、インナーハウジング１６が内部に嵌合可能な後方フード部３０と、前方フード部２８内の後面と後方フード部３０内の前面との間に設けられた板状の底壁３２と、を備えて構成されている。
【００１７】
図３に示すように、底壁３２には、バスバー１８の接続部２２が挿通される複数のハウジング側挿通孔３４が前後方向に貫通して設けられている。また、図６に示すように、後側フード部３０内の前面には、複数のピン３６が上下２段で左右方向に複数並んで突設されている。
【００１８】
図５に示すように、後方フード部３０を構成する周壁には、後端開口縁から前方に向けて複数のスリットが設けられ、隣り合う一対のスリットの間には、ロックアーム３８が設けられている。ロックアーム３８は上下方向に弾性変位可能とされ、複数（図示４つ）形成されている。ロックアーム３８には、ロック孔３８Ａが開口して設けられている。
【００１９】
図５に示すように、インナーハウジング１６は、左右方向に長い長方形状をなしており、アウターハウジング１４の後方フード部３０の内部に、後述するシール部材２０と共に収容される。
【００２０】
図５に示すように、インナーハウジング１６の外周面には、後方フード部３０のロックアーム３８と対応する位置に複数のロック部４０が突設されている。インナーハウジング１６がアウターハウジング１４の後方フード部３０の内部に収容されると、図１に示すように、ロック部４０がロックアーム３８のロック孔３８Ａに収容される。ロック部４０はロック孔３８Ａの内壁に当接可能に位置し、インナーハウジング１６は、アウターハウジング１４の後方フード部３０の内部に嵌合された状態（嵌合状態）となる。この嵌合状態において、インナーハウジング１６が後方に変位しようとすると、ロック部４０がロック孔３８Ａの内壁に前方から当接し、インナーハウジング１６が後方フード部３０の内部から後方に抜けることが抑制される。
【００２１】
図３に示すように、インナーハウジング１６の嵌合状態において、アウターハウジング１４の底壁３２の後面、及び、インナーハウジング１６の前面は、後述するシール部材２０を介して接触する嵌合面４２Ａ、及び、嵌合面４２Ｂとなる。
【００２２】
図９に示すように、インナーハウジング１６の嵌合面４２Ｂには、左右方向に長い溝状をなし、２つのバスバー１８の連結部２４がそれぞれ収容される２つの収容溝４４が設けられており、２つの収容溝４４は、上下方向に所定の間隔を開けて配されている。図３に示すように、収容溝４４の底面には、バスバー１８の複数の固定部２６がそれぞれ圧入される複数の固定穴４６が開口して設けられている。
【００２３】
図５に示すように、フェライト１２は、角が丸い方形状をなしており、２つのバスバー１８の接続部２２がそれぞれ挿通される２つのフェライト側挿通孔（挿通孔）４８を有している。２つのフェライト側挿通孔４８は、上下方向に所定の間隔を開けて配されており、フェライト１２の前面から後面にかけて貫通して設けられている。
【００２４】
図５に示すように、シール部材２０は、複数のフェライト１２が個別に収容される複数のフェライト収容部５０と、シール部材２０の外周面から外方にリップ状に突出する第１シール部５２と、シール部材２０の後端開口縁から後方に突出し、複数のフェライト収容部５０の開口を一括して囲う枠状をなす第２シール部５４と、を備えて構成されている。フェライト収容部５０にフェライト１２が収容された状態（図７、図８に示す状態）で、シール部材２０は、アウターハウジング１４の後方フード部３０の内部に収容される。
【００２５】
図７、図８に示すように、複数のフェライト収容部５０は、左右方向に並んで配されており、隣り合う一対のフェライト収容部５０の間は、仕切り壁５６によって仕切られている。フェライト収容部５０の内部にフェライト１２が収容されると、フェライト１２は、フェライト収容部５０の内壁に接触し、フェライト収容部５０内に保持される。
【００２６】
図８に示すように、シール部材２０の前面には、複数の位置合わせ穴５８が設けられており、図４に示すように、位置合わせ穴５８は、アウターハウジング１４の底壁３２に設けられた複数のピン３６と対応する位置に設けられている。シール部材２０が後方フード部３０の内部に収容されると、位置合わせ穴５８にピン３６が挿通され、シール部材２０の後方フード部３０内における位置が定まる。
【００２７】
図３に示すように、シール部材２０が後方フード部３０の内部に収容された状態で、インナーハウジング１６が後方フード部３０の内部に嵌合されると、複数のフェライト収容部５０の前後の開口が嵌合面４２Ａ、及び、嵌合面４２Ｂに挟まれ、コネクタ１０の内部に、フェライト１２が収容される内部収容空間Ｓが形成される。このとき、第１シール部５２は、後方フード部３０の内周面３０Ａに全周に亘って接触しており、アウターハウジング１４における後方フード部３０の開口から嵌合面４２Ａへ向かう経路の止水がなされる。また、第２シール部５４は、インナーハウジング１６の嵌合面４２Ｂに全周に亘って接触しており、アウターハウジング１４の後方フード部３０の開口からインナーハウジング１６の嵌合面４２Ｂへ向かう経路の止水がなされる。従って、１つのシール部材２０によって２つの経路の止水を実現することができ、内部収容空間Ｓへ水が浸入しバスバー１８に水が付着することを抑制できる。
【００２８】
以上のように本実施形態によれば、シール部材２０を設けることによって、内部収容空間Ｓに水が浸入することを抑制でき、バスバー（雄端子）１８に水が付着することを抑制できる。
【００２９】
また、シール部材２０は、複数のフェライト１２が内部に収容される複数のフェライト収容部５０と、後方フード部（フード部）３０の内周面３０Ａに全周に亘って接触する第１シール部５２と、複数のフェライト収容部５０の開口を一括して囲う枠状をなし、インナーハウジング１６の嵌合面４２Ｂに全周に亘って接触する第２シール部５４と、を備える構成としても良い。
第１シール部５２によって後方フード部（フード部）３０の開口から後方フード部（フード部）３０の嵌合面４２Ａへ向かう経路の止水ができ、第２シール部５４によって後方フード部（フード部）３０の開口からインナーハウジング１６の嵌合面４２Ｂへ向かう経路の止水ができる。したがって、１つのシール部材２０によって２つの経路の止水を実現できる。
【００３０】
＜実施形態２＞
図１１から図１７を参照して実施形態２のコネクタ１１０を説明する。コネクタ１１０は、アウターハウジング１１４の形状、インナーハウジング１１６の形状、及び、シール部材２００の形状が、実施形態１のコネクタ１０と異なる。なお、実施形態１のコネクタ１０と同一の構成については、図１１から図１７に実施形態１のコネクタ１０と同じ符号を振って、説明を省略する。
【００３１】
図１４、図１５に示すように、アウターハウジング１１４は、位置合わせ用のピン３６が設けられていない点が、実施形態１のアウターハウジング１４と異なる。
【００３２】
シール部材２００は、図１４に示すように、方形枠状をなしており、シール部材２００の外周面には、リップ状に突出する第１シール部５２Ａが設けられている。
【００３３】
インナーハウジング１１６は、図１４に示すように、左右方向に長い長方形状をなしており、インナーハウジング１１６の前端部の外周には、シール部材２００が嵌着される溝状のシール部材嵌着部６０が設けられている。図１７に示すように、シール部材嵌着部６０の底面６０Ａ（即ち、インナーハウジング１１６の前端部の外周面）と、インナーハウジング１１６の後端側の外周面とは段差６２を以って連なっている。これにより、段差６２が設けられていない場合と比較して、シール部材嵌着部６０にシール部材２００が嵌着された際に、シール部材２００の外周の大きさを小さく抑えることができる。従って、アウターハウジング１１４の後方フード部３０の開口が大きくなることを抑制できる。
【００３４】
図１６、図１７に示すように、インナーハウジング１１６の嵌合面４２Ｂには、複数のフェライト収容部５０Ａが開口して設けられており、隣り合う一対のフェライト収容部５０Ａの間は、仕切り壁５６Ａによって仕切られている。仕切り壁５６Ａは、中央部が切り欠かれた形状をなしており、隣り合う一対のフェライト収容部５０Ａの内部は互いに連通している。
【００３５】
図１３に示すように、バスバー１８の連結部２４が収容される収容溝４４は、フェライト収容部５０Ａの底面に設けられており、さらに収容溝４４の底面には、実施形態１と同様、バスバー１８の複数の固定部２６がそれぞれ圧入される複数の固定穴４６が開口して設けられている。フェライト１２は、バスバー１８が収容溝４４に収容された状態で、フェライト収容部５０Ａに収容される。
【００３６】
図１３に示すように、インナーハウジング１１６が後方フード部３０の内部に収容されると、シール部材２００は、後方フード部３０の内周面３０Ａとシール部材嵌着部６０の底面６０Ａとによって全周に亘って狭持される。これにより、後方フード部３０の開口から後方フード部３０の嵌合面４２Ａへ向かう経路の止水と、後方フード部３０の開口からインナーハウジング１１６の嵌合面４２Ｂへ向かう経路の止水と、を同時に実現できる。
【００３７】
以上のように本実施形態によれば、シール部材嵌着部６０の底面６０Ａにシール部材２００を嵌着することにより、後方フード部（フード部）３０の開口から後方フード部（フード部）３０の嵌合面４２Ａへ向かう経路の止水と、後方フード部（フード部）３０の開口からインナーハウジング１１６の嵌合面４２Ｂへ向かう経路の止水と、を同時に実現できる。
【００３８】
＜他の実施形態＞
本明細書によって開示される技術は上記記述及び図面によって説明した実施形態に限定されるものではなく、例えば次のような種々の態様も含まれる。
（１）実施形態１、２では、フェライト１２の数は６つである構成としたが、フェライト１２の数に制限はなく、５つ以下でも良いし、７つ以上でも良い。
（２）実施形態１、２では、コネクタ１０、１１０は防水ジョイントコネクタであり、雄端子は複数の接続部２２を備えるバスバー１８である構成としたが、コネクタは、接続部が１つの一般的な雄端子を備える一般的なコネクタである構成としても良い。
（３）実施形態２では、シール部材２００は方形枠状をなす構成としたが、例えば、シール部材は円形の枠状をなす構成とし、シール部材の形状に合わせて、後方フード部は円筒状に開口する形状とし、インナーハウジングのシール部材嵌着部は、円筒状をなす構成としても良い。
【符号の説明】
【００３９】
１０，１１０：コネクタ
１２：フェライト
１４，１１４：アウターハウジング
１６，１１６：インナーハウジング
１８：バスバー（雄端子）
２０，２００：シール部材
３０：後方フード部（フード部）
３０Ａ：内周面
４２Ａ，４２Ｂ：嵌合面
４８：フェライト側挿通孔（挿通孔）
５０，５０Ａ：フェライト収容部
５２，５２Ａ：第１シール部
５４：第２シール部
６０：シール部材嵌着部
６０Ａ：底面
Ｓ：内部収容空間
【図１】
2020113478.tif 000003
【図２】
2020113478.tif 000004
【図３】
2020113478.tif 000005
【図４】
2020113478.tif 000006
【図５】
2020113478.tif 000007
【図６】
2020113478.tif 000008
【図７】
2020113478.tif 000009
【図８】
2020113478.tif 000010
【図９】
2020113478.tif 000011
【図１０】
2020113478.tif 000012
【図１１】
2020113478.tif 000013
【図１２】
2020113478.tif 000014
【図１３】
2020113478.tif 000015
【図１４】
2020113478.tif 000016
【図１５】
2020113478.tif 000017
【図１６】
2020113478.tif 000018
【図１７】
2020113478.tif 000019